(57)【要約】【課題】ミュート開始時に発生する雑音を低減することが可能な音声ミュート回路および音声ミュート方法を提供する。【解決手段】この音声ミュート回路では、時刻ｔ１にミュート信号発生回路１がミュート信号Ｍｕｔｅ１を「Ｈ」レベルから「Ｌ」レベルに立ち下げた後、僅かに遅れた時刻ｔ２にミュート信号発生回路２がミュート信号Ｍｕｔｅ２を「Ｈ」レベルから「Ｌ」レベルに立ち下げる。ミュート信号Ｍｕｔｅ１，Ｍｕｔｅ２が合成されたミュート信号Ｍｕｔｅ３は、時刻ｔ１に「Ｈ」レベルから所定レベルＶｍｉｄまで立ち下げられ、時刻ｔ２に所定レベルＶｍｉｄから「Ｌ」レベルまで立ち下げられる。このため、ミュート開始時に音声信号のレベルが段階的に高くなる。したがって、ミュート開始時に発生する雑音を低減することが可能となる。【選択図】図１
2007116532.tif 000002
【特許請求の範囲】
【請求項１】
音声信号をミュートする音声ミュート回路であって、
通常時に非活性化レベルの第１の副ミュート信号を出力し、ミュート時に活性化レベルの第１の副ミュート信号を出力する第１の副ミュート信号発生回路、
通常時に非活性化レベルの第２の副ミュート信号を出力し、ミュート時に活性化レベルの第２の副ミュート信号を出力する第１の副ミュート信号発生回路、
前記音声信号が伝達される音声ラインと基準電位のラインとの間に接続されたＮＰＮバイポーラトランジスタ、および
電源電位のラインと前記ＮＰＮバイポーラトランジスタの制御電極との間に接続され、前記第１および第２の副ミュート信号が合成されたミュート信号が非活性化レベルのときに非導通になり、前記ミュート信号が活性化レベルのときに導通するＰＮＰバイポーラトランジスタを備え、
ミュート開始時において、前記第１の副ミュート信号発生回路が前記第１の副ミュート信号を非活性化レベルから活性化レベルにした後、所定時間経過後に前記第２の副ミュート信号発生回路が前記第２の副ミュート信号を非活性化レベルから活性化レベルにすることを特徴とする、音声ミュート回路。
【請求項２】
音声信号をミュートする音声ミュート回路であって、
通常時に非活性化レベルのミュート信号を出力し、ミュート時に活性化レベルのミュート信号を出力するミュート信号発生回路、および
前記音声信号が伝達される音声ラインと基準電位のラインとの間に接続され、前記ミュート信号が非活性化レベルのときに非導通になり、前記ミュート信号が活性化レベルのときに導通する第１のトランジスタを備え、
前記ミュート信号発生回路は、ミュート開始時に前記ミュート信号を非活性化レベルから活性化レベルにする際の所定期間、前記ミュート信号を非活性化レベルと活性化レベルとの間の所定レベルにすることを特徴とする、音声ミュート回路。
【請求項３】
さらに、電源電位のラインと前記第１のトランジスタの制御電極との間に接続され、前記ミュート信号が非活性化レベルのときに非導通になり、前記ミュート信号が活性化レベルのときに導通する第２のトランジスタを備え、
前記第１のトランジスタは、その制御電極に前記電源電位が印加されたことに応じて導通することを特徴とする、請求項２に記載の音声ミュート回路。
【請求項４】
前記ミュート信号発生回路は、
通常時に非活性化レベルの第１の副ミュート信号を出力し、ミュート時に活性化レベルの第１の副ミュート信号を出力する第１の副ミュート信号発生回路、および
通常時に非活性化レベルの第２の副ミュート信号を出力し、ミュート時に活性化レベルの第２の副ミュート信号を出力する第１の副ミュート信号発生回路を含み、
前記第２のトランジスタは、前記第１および第２の副ミュート信号が合成された前記ミュート信号に応じて導通または非導通になり、
ミュート開始時において、前記第１の副ミュート信号発生回路が前記第１の副ミュート信号を非活性化レベルから活性化レベルにした後、所定時間経過後に前記第２の副ミュート信号発生回路が前記第２の副ミュート信号を非活性化レベルから活性化レベルにすることを特徴とする、請求項２または請求項３に記載の音声ミュート回路。
【請求項５】
音声信号をミュートする音声ミュート方法であって、
前記音声信号が伝達される音声ラインと基準電位のラインとの間に接続され、ミュート信号が非活性化レベルのときに非導通になり、前記ミュート信号が活性化レベルのときに導通するトランジスタを設け、
ミュート開始時に前記ミュート信号を非活性化レベルから活性化レベルにする際の所定期間、前記ミュート信号を前記非活性化レベルと活性化レベルの間の所定レベルにすることを特徴とする、音声ミュート方法。
【発明の詳細な説明】
【技術分野】
【０００１】
この発明は、音声ミュート回路および音声ミュート方法に関し、特に、音声信号をミュートする音声ミュート回路および音声ミュート方法に関する。
【背景技術】
【０００２】
ＤＶＤ（デジタル・ビデオ・ディスク）プレイヤーなどオーディオ関連機器に設けられる音声ミュート回路は、音声出力を無音状態にするミュート動作を行なう。従来の音声ミュート回路では、ミュート開始時に「プチ」という雑音（ポップノイズ）が発生する。
【０００３】
図３は、従来の音声ミュート回路におけるミュート信号および音声信号の波形を示すタイムチャートである。図３を参照して、無音状態のときの音声信号の電位は０Ｖである。時刻ｔ１１に、ミュート信号が非活性化レベルの「Ｈ」レベルから活性化レベルの「Ｌ」レベルに立ち下げられたことに応じて、音声信号の電位が０Ｖよりも僅かに高くなる。このため、ミュート開始時に「プチ」という雑音が発生する。
【０００４】
たとえば、下記の特許文献１には、聴感雰囲気が重視されるオーディオパワーアンプにあって、半導体集積回路化が困難な時定数容量素子に依存することなく、電源投入時およびミュート解除時のポップ音を防止する技術が開示されている。これによると、段階的に可変される等価インピーダンスＲｘでオーディオ信号の伝達利得を制御することにより、電源投入時のミュート解除を段階的に徐々に行なわせる。
【０００５】
また、下記の特許文献２には、Ｄ／Ａ変換器を用いて、ミュートに必要となる傾斜のゆるやかな信号を生成することにより、ローパスフィルタを省略することのできる音声ミュート装置が開示されている。これによると、ミュートを行なうときには、Ｄ／Ａ変換器の変換出力電圧を初期電圧から所定電圧に向かって徐々に変化させ、ミュートを解除するときには、変換出力電圧を所定電圧から初期電圧に向かって徐々に変化させる。
【０００６】
また、下記の特許文献３には、簡易な回路構成にも拘わらず良好なミュート特性を呈し、かつ消費電力の増加を防止したミュート機能付き反転増幅器が開示されている。これによると、
【特許文献１】特開２０００−３４１０４７号公報
【特許文献２】実用新案登録第３０７３８５３号公報
【特許文献３】特開２００３−２８９２２２号公報
【発明の開示】
【発明が解決しようとする課題】
【０００７】
上述のように、従来の音声ミュート回路では、ミュート開始時に「プチ」という雑音が発生するという問題があった。
【０００８】
それゆえに、この発明の主たる目的は、ミュート開始時に発生する雑音を低減することが可能な音声ミュート回路および音声ミュート方法を提供することである。
【課題を解決するための手段】
【０００９】
この発明に係わる音声ミュート回路は、音声信号をミュートする音声ミュート回路であって、通常時に非活性化レベルの第１の副ミュート信号を出力し、ミュート時に活性化レベルの第１の副ミュート信号を出力する第１の副ミュート信号発生回路と、通常時に非活性化レベルの第２の副ミュート信号を出力し、ミュート時に活性化レベルの第２の副ミュート信号を出力する第１の副ミュート信号発生回路と、音声信号が伝達される音声ラインと基準電位のラインとの間に接続されたＮＰＮバイポーラトランジスタと、電源電位のラインとＮＰＮバイポーラトランジスタの制御電極との間に接続され、第１および第２の副ミュート信号が合成されたミュート信号が非活性化レベルのときに非導通になり、ミュート信号が活性化レベルのときに導通するＰＮＰバイポーラトランジスタとを備え、ミュート開始時において、第１の副ミュート信号発生回路が第１の副ミュート信号を非活性化レベルから活性化レベルにした後、所定時間経過後に第２の副ミュート信号発生回路が第２の副ミュート信号を非活性化レベルから活性化レベルにすることを特徴とする。
【００１０】
この発明に係わる他の音声ミュート回路は、音声信号をミュートする音声ミュート回路であって、通常時に非活性化レベルのミュート信号を出力し、ミュート時に活性化レベルのミュート信号を出力するミュート信号発生回路と、音声信号が伝達される音声ラインと基準電位のラインとの間に接続され、ミュート信号が非活性化レベルのときに非導通になり、ミュート信号が活性化レベルのときに導通する第１のトランジスタとを備え、ミュート信号発生回路は、ミュート開始時にミュート信号を非活性化レベルから活性化レベルにする際の所定期間、ミュート信号を非活性化レベルと活性化レベルとの間の所定レベルにすることを特徴とする。
【００１１】
好ましくは、さらに、電源電位のラインと第１のトランジスタの制御電極との間に接続され、ミュート信号が非活性化レベルのときに非導通になり、ミュート信号が活性化レベルのときに導通する第２のトランジスタを備え、第１のトランジスタは、その制御電極に電源電位が印加されたことに応じて導通することを特徴とする。
【００１２】
また好ましくは、ミュート信号発生回路は、通常時に非活性化レベルの第１の副ミュート信号を出力し、ミュート時に活性化レベルの第１の副ミュート信号を出力する第１の副ミュート信号発生回路と、通常時に非活性化レベルの第２の副ミュート信号を出力し、ミュート時に活性化レベルの第２の副ミュート信号を出力する第１の副ミュート信号発生回路とを含み、第２のトランジスタは、第１および第２の副ミュート信号が合成されたミュート信号に応じて導通または非導通になり、ミュート開始時において、第１の副ミュート信号発生回路が第１の副ミュート信号を非活性化レベルから活性化レベルにした後、所定時間経過後に第２の副ミュート信号発生回路が第２の副ミュート信号を非活性化レベルから活性化レベルにすることを特徴とする。
【００１３】
この発明に係わる音声ミュート方法は、音声信号をミュートする音声ミュート方法であって、音声信号が伝達される音声ラインと基準電位のラインとの間に接続され、ミュート信号が非活性化レベルのときに非導通になり、ミュート信号が活性化レベルのときに導通するトランジスタを設け、ミュート開始時にミュート信号を非活性化レベルから活性化レベルにする際の所定期間、ミュート信号を非活性化レベルと活性化レベルの間の所定レベルにすることを特徴とする。
【発明の効果】
【００１４】
この発明によれば、ミュート信号を非活性化レベルから活性化レベルにする際の所定期間、ミュート信号を非活性化レベルと活性化レベルの間の所定レベルにするので、音声信号のレベルが段階的に高くなる。したがって、ミュート開始時に発生する雑音を低減することが可能となる。
【発明を実施するための最良の形態】
【００１５】
図１は、この発明の一実施の形態による音声ミュート回路の概略構成を示す回路ブロック図である。図１において、この音声ミュート回路は、ミュート信号発生回路１，２と、ミュート端子３，４と、入力端子５と、出力端子６と、ＰＮＰバイポーラトランジスタ７と、ＮＰＮバイポーラトランジスタ８と、抵抗素子９〜１４と、スピーカ１５とを備える。
【００１６】
音声信号は入力端子５に入力され、音声ラインを伝達して出力端子６からスピーカ１５に与えられる。スピーカ１５は、出力端子６から与えられた音声信号を再生する。抵抗素子１２および抵抗素子１４は、入力端子５と出力端子６との間に直列接続される。ＮＰＮバイポーラトランジスタ８は、抵抗素子１２と抵抗素子１４の間のノートＮ２と、接地電位ＧＮＤのラインとの間に接続される。
【００１７】
ＰＮＰバイポーラトランジスタ７および抵抗素子１３は、電源電位ＶＣＣ（たとえば３．３Ｖ）のラインとＮＰＮバイポーラトランジスタ８のベースＢとの間に直列接続される。ミュート信号発生回路１は、非活性化レベルの「Ｈ」レベルまたは活性化レベルの「Ｌ」レベルのミュート信号Ｍｕｔｅ１をミュート端子３に与える。ミュート信号発生回路２は、非活性化レベルの「Ｈ」レベルまたは活性化レベルの「Ｌ」レベルのミュート信号Ｍｕｔｅ２をミュート端子４に与える。ミュート信号発生回路１，２は、プッシュプル方式の回路方式を用いたものであり、たとえばマイコンに内蔵される。抵抗素子９はミュート端子３とノードＮ１との間に接続され、抵抗素子１０はミュート端子４とノードＮ１との間に接続され、ノードＮ１はＰＮＰバイポーラトランジスタ７のベースＢに接続される。ミュート端子３に与えられたミュート信号Ｍｕｔｅ１とミュート端子４に与えられたミュート信号Ｍｕｔｅ２とが合成されたミュート信号Ｍｕｔｅ３は、ＰＮＰバイポーラトランジスタ７のベースＢに入力される。抵抗素子１１は、ノードＮ１と接地電位ＧＮＤのラインとの間に接続される。
【００１８】
通常時は、ミュート信号発生回路１からミュート端子３に非活性化レベルの「Ｈ」レベルのミュート信号Ｍｕｔｅ１が与えられ、ミュート信号発生回路２からミュート端子４に非活性化レベルの「Ｈ」レベルのミュート信号Ｍｕｔｅ２が与えられる。このとき、ミュート信号Ｍｕｔｅ１，Ｍｕｔｅ２が合成されたミュート信号Ｍｕｔｅ３は非活性化レベルの「Ｈ」レベルになる。したがって、ＰＮＰバイポーラトランジスタ７およびＮＰＮバイポーラトランジスタ８は非導通になるため、入力端子５に入力された音声信号は音声ラインを伝達して出力端子４から出力される。
【００１９】
ミュート時は、ミュート信号発生回路１からミュート端子３に活性化レベルの「Ｌ」レベルのミュート信号が与えられた後、僅かに時間をずらしてミュート信号発生回路２からミュート端子４に活性化レベルの「Ｌ」レベルのミュート信号が与えられる。このとき、ミュート信号Ｍｕｔｅ１，Ｍｕｔｅ２が合成されたミュート信号Ｍｕｔｅ３は活性化レベルの「Ｌ」レベルになる。したがって、ＰＮＰバイポーラトランジスタ７が導通して、電源電位ＶＣＣのラインからＰＮＰバイポーラトランジスタ７および抵抗素子１３を介して、ＮＰＮバイポーラトランジスタ８のベースＢに電流が流れる。これに応じて、ＮＰＮバイポーラトランジスタ８が導通し、音声ラインが接地電位ＧＮＤに固定される。
【００２０】
図２は、図１に示した音声ミュート回路におけるミュート信号および音声信号の波形を示すタイムチャートである。図２を参照して、時刻ｔ１に、ミュート信号発生回路１はミュート信号Ｍｕｔｅ１を非活性化レベルの「Ｈ」レベルから活性化レベルの「Ｌ」レベルに立ち下げる。続いて、時刻ｔ１から僅かに遅れた時刻ｔ２に、ミュート信号発生回路２はミュート信号Ｍｕｔｅ２を非活性化レベルの「Ｈ」レベルから活性化レベルの「Ｌ」レベルに立ち下げる。
【００２１】
この場合、ミュート信号Ｍｕｔｅ１，Ｍｕｔｅ２が合成されたミュート信号Ｍｕｔｅ３は、時刻ｔ１に非活性化レベルの「Ｈ」レベルから所定レベルＶｍｉｄまで立ち下げられ、時刻ｔ２に所定レベルＶｍｉｄから活性化レベルの「Ｌ」レベルまで立ち下げられる。ただし、ミュート信号Ｍｕｔｅ１，Ｍｕｔｅ２の電圧振幅は等しいものとし、所定レベルＶｍｉｄが「Ｈ」レベルと「Ｌ」レベルの中間レベルとなるように抵抗素子９〜１１の抵抗値を定めている。
【００２２】
したがって、ＰＮＰバイポーラトランジスタ７およびＮＰＮバイポーラトランジスタ８が段階的に導通することになる。ＰＮＰバイポーラトランジスタ７が導通しているときは、電源電位ＶＣＣがＰＮＰバイポーラトランジスタ７および抵抗素子１３を介してＮＰＮバイポーラトランジスタ８のベースＢに印加されるため、音声ラインが接地電位ＧＮＤよりも僅かに高い電位に持ち上げられる。
【００２３】
従来の音声ミュート回路では、図３に示したように、時刻ｔ１１に音声信号のレベルが一挙に０Ｖよりも僅かに高くなるため、ミュート開始時に「プチ」という雑音が発生するという問題があった。
【００２４】
しかし、この一実施の形態では、図２に示したように、ミュート信号Ｍｕｔｅ３を非活性化レベルの「Ｈ」レベルから活性化レベルの「Ｌ」レベルにする際の所定期間、すなわち時刻ｔ１から時刻ｔ２までの期間、ミュート信号Ｍｕｔｅ３を所定レベルＶｍｉｄにする。このため、ミュート開始時に時刻ｔ１，ｔ２で音声信号のレベルが段階的に高くなる。したがって、ミュート開始時に発生する雑音を低減することが可能となる。
【００２５】
なお、ここではミュート開始時にミュート信号Ｍｕｔｅ３を２段階にレベル変化させる場合を示したが、これに限定されるものではなく、たとえば３段階や４段階にレベル変化させるようにしてもよい。
【００２６】
また、この音声ミュート回路は、ＤＶＤプレイヤーに限らずＤＶＤレコーダーやＣＤプレイヤーなどの各種オーディオ関連機器に適用可能である。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】この発明の一実施の形態による音声ミュート回路の概略構成を示す回路ブロック図である。
【図２】図１に示した音声ミュート回路におけるミュート信号および音声信号の波形を示すタイムチャートである。
【図３】従来の音声ミュート回路におけるミュート信号および音声信号の波形を示すタイムチャートである。
【符号の説明】
【００２９】
１，２  ミュート信号発生回路、３，４  ミュート端子、５  入力端子、６  出力端子、７  ＰＮＰバイポーラトランジスタ、８  ＮＰＮバイポーラトランジスタ、９〜１４  抵抗素子、１５  スピーカ。
【図１】
2007116532.tif 000003
【図２】
2007116532.tif 000004
【図３】
2007116532.tif 000005